(57)【要約】【課題】家庭内において、天然温泉に類似した人工温泉浴を楽しむための簡易な温泉装置を提供し、かつ、その装置を用いて人工温浴用水を製造する方法を提供する。【解決手段】この温泉装置は、壊変生成物を抽出するための抽出槽、この抽出槽内に配置された抽出装置、人工温浴用水を一時的に蓄えておくための貯槽、循環ポンプ、浴槽、この抽出槽や貯槽のヒータと温調装置の通電状態を制御し、および、この循環ポンプの通電状態を制御することを可能にする制御盤を有する。【選択図】図１
2005124898.tif 000002
【特許請求の範囲】
【請求項１】
放射性物質を含有する鉱石粉に酸性水溶液を接触させることにより前記鉱石粉中の壊変生成物を前記酸性水溶液中に抽出して人工温浴用水を調製し、次いで前記人工温浴用水を浴槽に供給することができる温泉装置であって、
前記壊変生成物を抽出するための抽出槽と、
前記抽出槽内に配置され、内部に前記鉱石粉が格納され、壁部の全部または少なくともその壁部の一部が通水性フィルタから構成され、さらに、その内部にヒータと温調装置を具備してなる抽出装置と、
内部にヒータと温調装置を具備し、さらに、前記人工温浴用水を一時的に蓄えておくための貯槽と、
循環ポンプと、
前記循環ポンプを介して前記貯槽内の前記人工温浴用水を前記抽出槽に送るための配管と、
前記浴槽と、
前記循環ポンプを介して前記浴槽内の水を前記貯槽に送るための配管と、
前記貯槽内の前記人工温浴用水を前記浴槽に誘導するための配管と並びに、
前記抽出槽内の前記ヒータと温調装置の通電状態を制御し、前記貯槽内の前記ヒータと温調装置の通電状態を制御し、および、前記循環ポンプの通電状態を制御することを可能にするための制御盤と、を有することを特徴とする温泉装置。
【請求項２】
前記貯槽と前記循環ポンプの間に配置された前記配管中に設けられる電磁弁（Ａ１）と、前記循環ポンプと前記抽出槽の間に配置された前記配管中に設けられる電磁弁（Ａ）とは、いずれも、前記人工温浴用水の移動を制御するための弁である、請求項１に記載の温泉装置。
【請求項３】
前記浴槽と前記循環ポンプの間に配置された前記配管中に設けられる電磁弁（Ｂ１）と、前記循環ポンプと前記貯槽の間に配置された前記配管中に設けられる電磁弁（Ｂ）とは、いずれも、前記浴槽内の水の移動を制御するための弁である、請求項１または２に記載の温泉装置。
【請求項４】
前記抽出槽と前記貯槽の間に間仕切りが形成されており、前記抽出槽内の前記人工温浴用水が前記間仕切りを越えて前記貯層内に流れ込む通路を具備してなる、請求項１に記載の温泉装置。
【請求項５】
前記貯槽内の前記人工温浴用水が水位線を越えて溢れ、前記貯槽と前記浴槽の間に配置された前記配管を経由して前記浴槽に流れ込む通路を具備してなる、請求項１に記載の温泉装置。
【請求項６】
前記抽出槽の上部に、前記酸性水溶液を調製するための抽出剤の投入口を具備してなる、請求項１に記載の装置。
【請求項７】
前記抽出剤がクエン酸である、請求項６に記載の温泉装置。
【請求項８】
前記抽出装置が、前記人工温浴用水の温度を調節するための前記ヒータと温調装置を格納する温調セクションと、前記鉱石粉を格納して、前記壊変生成物を抽出するための抽出セクションから構成される、請求項１に記載の温泉装置。
【請求項９】
前記鉱石粉がモナズ石であって、その大きさが０．１ｍｍ〜３ｍｍである、請求項８に記載の温泉装置。
【請求項１０】
前記抽出セクションの壁部の全部または少なくともその壁部の一部が通水性フィルタから構成される、請求項８に記載の温泉装置。
【請求項１１】
前記通水性フィルタは、多孔板又は網からなる群から選ばれたものである、請求項１０に記載の温泉装置。
【請求項１２】
前記温調セクションと抽出セクションが接触して前記抽出装置を構成するに際し、複数個の孔を介して前記人工温浴用水が移動できるように、前記抽出セクションの側の接触部位に前記複数個の孔が形成されてなる、請求項８に記載の温泉装置。
【請求項１３】
前記抽出槽および貯槽の内部の前記人工温浴用水を外部に抜出すための配管および電磁弁を具備してなる、請求項１に記載の温泉装置。
【請求項１４】
新鮮な水を前記抽出槽に供給するための配管を具備してなる、請求項１に記載の温泉装置。
【請求項１５】
前記人工温浴用水の酸性度はｐＨ５〜ｐＨ６．５である、請求項１に記載の温泉装置。
【請求項１６】
抽出槽に所定量の抽出剤を投入する工程、
前記抽出槽に所定の水位まで新鮮な水を供給する工程、
循環ポンプを始動させ、同時に前記抽出槽のヒータと温調装置に通電し、さらに、貯槽のヒータと温調装置に通電する工程、
前記貯槽と前記循環ポンプの間に配置された配管中に設けられる電磁弁（Ａ１）と、前記循環ポンプと前記抽出槽の間に配置された配管中に設けられる電磁弁（Ａ）とを開放し、所定の時間かけて、前記循環ポンプにより、前記貯槽から前記抽出槽へ水を送り、前記抽出槽内の水が前記抽出槽と前記貯槽の間の間仕切りを越えて前記貯槽に戻るように、水の循環を行い、人工温浴用水を調製する工程、
前記抽出槽の前記ヒータと温調装置の電源および前記貯槽のヒータと温調装置の電源を切り、前記循環ポンプを停止し、前記電磁弁（Ａ１）と電磁弁（Ａ）とを閉止する工程、
浴槽に新鮮な水または温水を満たす工程、
前記循環ポンプを始動させ、同時に前記貯槽の前記ヒータと温調装置に通電する工程、
前記浴槽と前記循環ポンプの間に配置された配管中に設けられる電磁弁（Ｂ１）と、前記循環ポンプと前記貯槽の間に配置された配管中に設けられる電磁弁（Ｂ）とを開放し、所定の時間かけて、前記循環ポンプにより、前記浴槽から前記貯槽へ前記水または温水を送り、前記貯槽内の前記人工温浴用水が前記貯槽の所定の水位を越えて、前記貯槽と前記浴槽の間に設けられた配管を介して前記浴槽に戻るように、水の循環を行い、均一な人工温浴用水を調製する工程、および
前記貯槽のヒータと温調装置の電源を切り、前記循環ポンプを停止し、前記電磁弁（Ｂ１）と電磁弁（Ｂ）とを閉止する工程、
からなることを特徴とする人工温浴用水の製造方法。
【請求項１７】
前記抽出槽の内部に抽出装置が配置され、前記抽出装置が請求項８〜１２のいずれかに記載の装置である、請求項１６に記載の人工温浴用水の製造方法。
【発明の詳細な説明】
【技術分野】
【０００１】
本発明は、温泉装置及びこれを用いる人工温浴用水の製造方法に関する。
【背景技術】
【０００２】
モナズ石のようなトロンやラドン等の放射性物質を含有する鉱石の粉又は粒（以下、「鉱石紛」と略称する。）に、有機カルボン酸等の酸性水溶液を接触させて、鉱石紛の壊変生成物（トロンやラドン）を該酸性水溶液に溶解させ、該壊変生成物を該酸性水溶液中に抽出する人工温浴用水抽出装置としてはいくつか知られている。
【０００３】
特許文献１には、ポンプ６８を用いて、通水のためのフィルタ６５、６６を具備し、かつ、内部に放射性粉末６４を格納した内筒６３に、有機カルボン酸水溶液６１を送り込み、該粉末６４の壊変生成物を該有機カルボン酸水溶液６１中に抽出して、抽出水溶液を得ようとする発明が開示されている。しかしながらこのポンプ６８には吸引力が制限されるという問題点がある。
【０００４】
特許文献２には、内部に粒径０．２〜０．５ｍｍの鉱石顆粒を収納した攪拌槽８０内に気体を送り込み、有機酸又は無機酸水溶液７２による抽出効率を上げようとする発明が開示されている。しかしながらノズル８４から噴射された気体が攪拌槽８０のすみずみに十分に届かず、鉱石顆粒７４が下部フィルタ７８上に堆積しやすいという問題点がある。
【０００５】
特許文献３には、ポンプ２７を用いて、攪拌槽１６に酸性水溶液４３を送り込み、この攪拌槽１６内部で鉱石粒１７を攪拌して、壊変生成物の抽出効率を上げようとする発明が開示されている。しかしながらこの装置を一般家庭において使用するには解決すべき課題が残されている。つまり、この発明は、自動的又は半自動的な操作ができること、風呂に使用するための大量の水を確保すること、家庭内で自然界の温泉浴が楽しめること、人工温泉浴により体内の新陳代謝を促進して、免疫力や自然治癒を高め、各種の症状の改善に寄与する、等の点で不十分である。
【０００６】
因みに天然温泉について説明する。
【０００７】
鳥取県三朝（みささ）温泉や他のラジウム温泉では、マグマに熱せられた地下水に、ウランやトリウム等の壊変生成物であるラジウムが溶け込み、温泉の湧出に伴い、気化したトロンやラドンが空気中に放出される。この気化した、微量のトロンやラドンの放射線が、口腔、次いで肺を経て血液中に入り、全身の細胞内に入る。その結果として細胞が活性化し、また、増殖し、体内の新陳代謝が促進され、健康増進上の効果が期待される。
【０００８】
又、玉川温泉等の場合、ｐＨ１．２の塩酸酸性で、極めて酸性が強く、泉質刺激による療法に役立っている。さらに、９８℃の熱水の強酸泉であり、地熱利用の温熱療法にも役立っている。
【特許文献１】特公昭６０−４７８５８号公報
【特許文献２】特公平６−４８３２０号公報
【特許文献３】特開２００１−３７８４４号公報
【発明の開示】
【発明が解決しようとする課題】
【０００９】
本発明の課題は、家庭内において、天然温泉に類似した人工温泉浴を楽しむための簡易な温泉装置を提供し、かつ、その装置を用いて人工温浴用水を製造する方法を提供することにある。
【課題を解決するための手段】
【００１０】
本発明は、放射性物質を含有する鉱石粉（１）に酸性水溶液（２）を接触させることにより前記鉱石粉（１）中の壊変生成物を前記酸性水溶液（２）中に抽出して人工温浴用水（３）を調製し、次いで前記人工温浴用水（３）を浴槽に供給することができる温泉装置であって、
前記壊変生成物を抽出するための抽出槽（４）と、
前記抽出槽（４）内に配置され、内部に前記鉱石粉（１）が格納され、壁部の全部または少なくともその壁部の一部が通水性フィルタから構成され、さらに、その内部にヒータ（Ｈ）と温調装置（ＴＨ）を具備してなる抽出装置（５）と、
内部にヒータ（Ｈ１）と温調装置（ＴＨ１）を具備し、さらに、前記人工温浴用水（３）を一時的に蓄えておくための貯槽（６）と、
循環ポンプ（７）と、
前記循環ポンプ（７）を介して前記貯槽（６）内の前記人工温浴用水（３）を前記抽出槽（４）に送るための配管と、
前記浴槽（８）と、
前記循環ポンプ（７）を介して前記浴槽（８）内の水を前記貯槽（６）に送るための配管と、
前記貯槽（６）内の前記人工温浴用水を前記浴槽（８）に誘導するための配管と並びに、
前記抽出槽（４）内の前記ヒータ（Ｈ）と温調装置（ＴＨ）の通電状態を制御し、前記貯槽（６）内の前記ヒータ（Ｈ１）と温調装置（ＴＨ１）の通電状態を制御し、および、前記循環ポンプ（７）の通電状態を制御することを可能にするための制御盤（９）と、を有することを特徴とする。
【００１１】
この発明の好ましい態様を以下に示す。
【００１２】
前記温泉装置において、前記貯槽と前記循環ポンプの間に配置された前記配管中に設けられる電磁弁（Ａ１）と、前記循環ポンプと前記抽出槽の間に配置された前記配管中に設けられる電磁弁（Ａ）とは、いずれも、前記人工温浴用水の移動を制御するための弁である。
【００１３】
前記温泉装置において、前記浴槽と前記循環ポンプの間に配置された前記配管中に設けられる電磁弁（Ｂ１）と、前記循環ポンプと前記貯槽の間に配置された前記配管中に設けられる電磁弁（Ｂ）とは、いずれも、前記浴槽内の水の移動を制御するための弁である。
【００１４】
前記温泉装置において、前記抽出槽と前記貯槽の間に間仕切りが形成されており、前記抽出槽内の前記人工温浴用水が前記間仕切りを越えて前記貯層内に流れ込む通路を具備している。
【００１５】
前記温泉装置において、前記貯槽内の前記人工温浴用水が水位線を越えて溢れ、前記貯槽と前記浴槽の間に配置された前記配管を経由して前記浴槽に流れ込む通路を具備している。
【００１６】
前記温泉装置において、前記抽出槽の上部に、前記酸性水溶液を調製するための抽出剤の投入口を具備している。
【００１７】
前記温泉装置において、前記抽出剤がクエン酸である。
【００１８】
前記温泉装置において、前記抽出装置が、前記人工温浴用水の温度を調節するための前記ヒータと温調装置を格納する温調セクションと、前記鉱石粉を格納して、前記壊変生成物を抽出するための抽出セクションから構成される。
【００１９】
前記温泉装置において、前記鉱石粉がモナズ石であって、その大きさが０．１ｍｍ〜３ｍｍである。
【００２０】
前記温泉装置において、前記抽出セクションの壁部の全部または少なくともその壁部の一部が通水性フィルタから構成される。
【００２１】
前記温泉装置において、前記通水性フィルタは、多孔板又は網からなる群から選ばれたものである。
【００２２】
前記温泉装置において、前記温調セクションと抽出セクションが接触して前記抽出装置を構成するに際し、複数個の孔を介して前記人工温浴用水が移動できるように、前記抽出セクションの側の接触部位に前記複数個の孔が形成されている。
【００２３】
前記温泉装置において、前記抽出槽および貯槽の内部の前記人工温浴用水を外部に抜出すための配管および電磁弁を具備している。
【００２４】
前記温泉装置において、新鮮な水を前記抽出槽に供給するための配管を具備している。
【００２５】
前記温泉装置において、前記人工温浴用水の酸性度はｐＨ５〜ｐＨ６．５である。
【００２６】
また、本発明は、抽出槽（４）に所定量の抽出剤を投入する工程、
前記抽出槽（４）に所定の水位まで新鮮な水を供給する工程、
循環ポンプ（７）を始動させ、同時に前記抽出槽（４）のヒータ（Ｈ）と温調装置（ＴＨ）に通電し、さらに、貯槽（６）のヒータ（Ｈ１）と温調装置（ＴＨ１）に通電する工程、
前記貯槽（６）と前記循環ポンプ（７）の間に配置された配管中に設けられる電磁弁（Ａ１）と、前記循環ポンプ（７）と前記抽出槽（４）の間に配置された配管中に設けられる電磁弁（Ａ）とを開放し、所定の時間かけて、前記循環ポンプ（７）により、前記貯槽（６）から前記抽出槽（４）へ水を送り、前記抽出槽（４）内の水が前記抽出槽（４）と前記貯槽（６）の間の間仕切りを越えて前記貯槽（６）に戻るように、水の循環を行い、人工温浴用水を調製する工程、
前記抽出槽（４）の前記ヒータ（Ｈ）と温調装置（ＴＨ）の電源および前記貯槽（６）のヒータ（Ｈ１）と温調装置（ＴＨ１）の電源を切り、前記循環ポンプ（７）を停止し、前記電磁弁（Ａ１）と電磁弁（Ａ）とを閉止する工程、
浴槽（８）に新鮮な水または温水を満たす工程、
前記循環ポンプ（８）を始動させ、同時に前記貯槽（６）の前記ヒータ（Ｈ１）と温調装置（ＴＨ１）に通電する工程、
前記浴槽（８）と前記循環ポンプ（７）の間に配置された配管中に設けられる電磁弁（Ｂ１）と、前記循環ポンプ（７）と前記貯槽（６）の間に配置された配管中に設けられる電磁弁（Ｂ）とを開放し、所定の時間かけて、前記循環ポンプ（７）により、前記浴槽（８）から前記貯槽（６）へ前記水または温水を送り、前記貯槽（６）内の前記人工温浴用水が前記貯槽（６）の所定の水位を越えて、前記貯槽（６）と前記浴槽（８）の間に設けられた配管を介して前記浴槽（８）に戻るように、水の循環を行い、均一な人工温浴用水を調製する工程、および
前記貯槽（６）のヒータ（Ｈ１）と温調装置（ＴＨ１）の電源を切り、前記循環ポンプ（７）を停止し、前記電磁弁（Ｂ１）と電磁弁（Ｂ）とを閉止する工程、
からなることを特徴とする人工温浴用水の製造方法である。
【発明の効果】
【００２７】
この発明の温泉装置によれば、自動的又は半自動的な操作ができること、風呂に使用するための大量の水を確保すること等が可能であり、家庭内で手軽に自然界の温泉浴を楽しむことができる。
【発明を実施するための最良の形態】
【００２８】
図１は、この発明に係る温泉装置の概要を示す図である。また、図２は、この発明に係るモナズ石格納セクションの概要を示す図である。
【００２９】
温泉装置の概略は、前記した「課題を解決するための手段」の欄において記述したとおりであり、重複する部分については割愛する。
【００３０】
鉱石紛としてモナズ石と呼ばれる粉末が挙げられる。その大きさは０．１ｍｍ〜３ｍｍと述べてあるが、これは例示であり、これよりも小さくても、また、大きくても差し支えない。この大きさに応じて抽出セクションの壁部の全体またはその壁部の一部として使用される通水性フィルタの孔のサイズを変更すればよい。
【００３１】
モナズ石格納セクションではモナズ石を格納する部分が２つに分かれている。
【００３２】
例えば、堀製作所にて製作したものについて説明する。粉末状のモナズ石（１０）を格納する部分は側面の２重管（内管と外管の間の部分）（１１）である。半径方向に水溶液が流れるように、側面の２重管にはそれぞれ微細な孔が形成されている。ただし、モナズ石が系外へ、つまり内側から外側へ、流出しない程度の大きさの孔が形成されている。この２重管の底部は溶接により封止されるが、その上部には着脱可能な蓋を設けて、粉末状モナズ石を格納したり、取り除いたりできるような構造とする。抽出時は、モナズ石の流出を抑えるために、その蓋を取り付けて固定する。
【００３３】
粒子状のモナズ石（１２）を格納する部分は最先端の部分であり、その下面と上面の両側に網（１３）が配置されている。この網（ネットともいう。）についても、モナズ石が系外へ、つまり内側から外側へ、流出しない程度の大きさの目が形成されている。
【００３４】
大まかに言って、循環ポンプの能力や動力を考慮して、粉末状のモナズ石による壊変生成物の抽出量が粒子状のモナズ石による壊変生成物の抽出量の約１０倍になるように設定する。
【００３５】
循環ポンプは通常の自吸式ポンプで十分である。例えば、三相電機（株）のＰＭＳ−６１１Ｂ−ＢＥが使用できる。
【００３６】
人工温浴用水のｐＨは浴槽に測定点を設けて測定すればよい。貯槽と浴槽の間でこの水を循環させながら、循環開始５分後に浴槽内の２箇所で測定すればよい。
【００３７】
上記以外の装置として、浴槽と循環ポンプの間に設けられたフィルタ（Ｆ）を介して上記の浴槽の水の循環を行えば、浄化の効率アップが期待できる。
【００３８】
なお、浴槽を除外した部分は、抽出槽、貯槽、循環ポンプ、制御盤を主要部とするコンパクトな装置であり、これを専用住宅の敷地内に搬入して取り付けることができる。
【００３９】
蓋Ａは抽出槽と貯槽を覆うための蓋である。各槽の内部の清掃や部品の着脱を可能にする蓋である。蓋Ｂは保温材を抑えたり、保温材の出し入れを行ったりするための蓋である。
【００４０】
上記の温泉装置を用いて人工温浴用水を製造する方法は、概略、前記した「課題を解決するための手段」の欄において記述したとおりのものであり、重複する部分については割愛する。
【００４１】
抽出剤としてクエン酸が好ましい。
【００４２】
先ず、３〜１０ｇの抽出剤を蓋Ｃの投入口から抽出槽に投入する。この量は入浴する際の水のｐＨを５〜６．５に調整するために必要とされる量である。
【００４３】
弁（Ｗ）を開放して、水位計を見ながら水位線まで水を入れる。このようにして２０リットルの新鮮な水が抽出槽に供給される。この抽出槽で保持できない水は抽出槽と貯槽の間の間仕切りを越えて貯槽に流れ込むことになる。
【００４４】
「抽出」のコントロール・スイッチを押すと、循環ポンプ（７）が始動し、同時に前記抽出槽（４）のヒータ（Ｈ）と温調装置（ＴＨ）に通電され、さらに、貯槽（６）のヒータ（Ｈ１）と温調装置（ＴＨ１）に通電される。水温が上昇し、壊変生成物の抽出が始まる。通常の入浴温度を４２℃と考えて、この温度で抽出を行う。所要時間としては３〜５時間を要する。
【００４５】
制御盤のタイムスイッチが作動し、ブザーがなり、人工温浴用水ができたことがわかる。
【００４６】
ここでの水の循環状況を説明する。前記貯槽（６）と前記循環ポンプ（７）の間に配置された配管中に設けられる電磁弁（Ａ１）と、前記循環ポンプ（７）と前記抽出槽（４）の間に配置された配管中に設けられる電磁弁（Ａ）とが開放され、前記循環ポンプ（７）により、前記貯槽（６）から前記抽出槽（４）へ水が送られ、前記抽出槽（４）内の水が前記抽出槽（４）と前記貯槽（６）の間の間仕切りを越えて前記貯槽（６）に戻るように、水の循環が行われ、目的とする人工温浴用水が調製される。
【００４７】
「抽出」のコントロール・スイッチを再度押して抽出操作を停止する。この操作は浴槽に湯が満たされた後で行ってもよい。
【００４８】
次に、浴槽に新鮮な温水を満たす。または、浴槽内の水を加温して、入浴に適した温度の温水を調製する。
【００４９】
「循環」のコントロール・スイッチを押すと、前記循環ポンプ（７）が始動し、同時に前記貯槽（６）の前記ヒータ（Ｈ１）と温調装置（ＴＨ１）に通電される。浴槽と貯槽の間で循環運転が開始される。約１０分間の循環運転により、入浴可能な人工温浴用水が浴槽内に保持されることになる。
【００５０】
できあがった人工温浴用水の酸性度はｐＨ５〜６．５であり、ここから微量放射線のトロンやラドンが放出される。
【００５１】
この循環運転時の水の循環状況を説明する。前記浴槽（８）と前記循環ポンプ（７）の間に配置された配管中に設けられる電磁弁（Ｂ１）と、前記循環ポンプ（７）と前記貯槽（６）の間に配置された配管中に設けられる電磁弁（Ｂ）とが開放され、前記循環ポンプ（７）により、前記浴槽（８）から前記貯槽（６）へ前記水または温水を送り、前記貯槽（６）内の前記人工温浴用水が前記貯槽（６）の所定の水位を越えて、前記貯槽（６）と前記浴槽（８）の間に設けられた配管を介して前記浴槽（８）に戻るように、水の循環を行う。このようにして、均一な人工温浴用水が調製される。
【００５２】
次に、前記貯槽（６）のヒータ（Ｈ１）と温調装置（ＴＨ１）の電源を切り、前記循環ポンプ（７）を停止し、前記電磁弁（Ｂ１）と電磁弁（Ｂ）とを閉止する。
【００５３】
以上のような方法により調製された人工温浴用水のトロンやラドンの量は約１０時間で半減する。
【００５４】
従って、２４時間風呂としてこの浴槽を使用する場合、ラジウム温泉としての効力は約１５時間後にはなくなるが、弱酸性温泉として使用できる。また、循環停止後、約３時間経過してから再度抽出する操作を行ってもよい。
【００５５】
浴槽と貯槽の間で循環運転を行う場合、配管の中ほどに適宜フィルタ（Ｆ）を設けることにより、水中の異物を取り除くことができる。
【００５６】
必要に応じて配管を含めて装置全体を保温し、寒冷地においても使用可能な装置にすることができる。
【００５７】
入浴後に「排水」のコントロール・スイッチを押して、浴槽を含めた、温泉装置全体から水抜きを行うことができる。
【００５８】
尚、図１において循環ポンプの周辺に電磁弁（Ｃ）、（Ｃ１）が設けられているが、配管を含めて装置から外部へ水を抜くためのものである。これは手動で弁を開閉する型式であっても差し支えない。
【００５９】
また、図１には、抽出槽を操作するためのスイッチ（Ｓ）と貯槽を操作するためのスイッチ（Ｓ１）が含まれており、いずれも、同時にヒータと温調装置の電源をオン・オフするように構成されているが、個別にオン・オフする型式のものであってもよい。
【産業上の利用可能性】
【００６０】
簡単な装置を用いて、家庭内で自然界の温泉浴を楽しむことができるので、人工温泉浴による体内の新陳代謝を促進して、免疫力や自然治癒を高め、各種の症状の改善に寄与すること等で効果が期待できる。特に高齢者を含めて自然界の温泉浴に接することができない人々にとって受け入れられやすく、健康増進にとり利用価値は大きい。
【図面の簡単な説明】
【００６１】
【図１】この発明に係る温泉装置の概要を示す図である。
【図２】この発明に係るモナズ石格納セクションの概要を示す図である。
【符号の説明】
【００６２】
１    鉱石粉
２    酸性水溶液
３    人工温浴用水
４    抽出槽
５    抽出装置
６    貯槽
７    循環ポンプ
８    浴槽
９    制御盤
１０    粉末状モナズ石
１１    ２重管（多孔板）
１２    粒子状モナズ石
１３    網（ネット）
【図１】
2005124898.tif 000003
【図２】
2005124898.tif 000004